(57)【特許請求の範囲】
【請求項１】
台紙本体の少なくとも一方の面にフィルムを配置するとともに、当該フィルムの所定箇所を台紙本体側に接着若しくは溶着して一端側から写真を挿入可能なポケットを台紙本体の面に設けてなるアルバム用台紙において、
前記ポケットを形成するフィルムに、当該ポケットの底部と略平行に延びるミシン目が形成され、ポケットに収容されている写真を取り出す際に、ミシン目より底部の反対側のフィルム領域を剥離することで写真の表面を露出可能に設けられていることを特徴とするアルバム用台紙。
【請求項２】
前記ポケットを形成する接着部若しくは溶着部を離間させて非固定部が設けられ、前記ミシン目は、前記非固定部の領域内に設けられていることを特徴とする請求項１記載のアルバム用台紙。
【発明の詳細な説明】
【０００１】
【発明の属する技術分野】
本発明はアルバム用台紙に係り、特に、廃棄処分する際に、ポケット内に収容された写真を容易に取り出すことのできるアルバム用台紙に関する。
【０００２】
【従来の技術】
公知のアルバム用台紙としては、例えば、図４に示されるタイプのものが知られている。同図において、アルバム用台紙４０は、左右方向一端側に綴じ穴４１が形成された平面視略長方形の台紙本体４２と、この台紙本体４２の表裏各面にフィルムＦを配して所定箇所に台紙本体４２との接着部４３を設けて標準サイズの写真Ｐ１を収容可能な上下三段のポケットＰＫ１,ＰＫ２,ＰＫ３と、いわゆるパノラマサイズの写真Ｐ２を収容可能な大ポケットＰＫ４とを備えて構成されている。
【０００３】
前記接着部４３において、上下三段のポケットＰＫ１〜ＰＫ３の出し入れ口４５を形成する上下三つの接着部４３は、それらの接着代が小さく設定されている一方、各ポケットＰＫ１〜ＰＫ３の底部４６側及び台紙本体４２の下端部側の接着部４３の接着代は帯状に長く設定されている。
【０００４】
【発明が解決しようとする課題】
ところで、アルバムの中には、例えば、工事用写真等を収容する業務用として用いられる場合がある。このような用途での実際の使用状況を考えると、アルバムに綴じられた各台紙上の写真を現場にて頻繁に閲覧することが多く、一般家庭におけるアルバム用台紙とは、比べるまでもなく傷みが激しいものとなる。そのため、アルバム用台紙を新たなものに交換して利用する場合があり、その際に、収容されていた写真を全て抜き出すことが必要となる。この場合、各ポケットＰＫ１〜ＰＫ３又はＰＫ４から写真Ｐ１又はＰ２を一枚毎抜き出す作業が必要となり、かかる作業が非常に面倒になるという不都合がある。
【０００５】
【発明の目的】
本発明はこのような不都合に着目して案出されたものであり、アルバム用台紙を交換する際の写真取り出し作業を極めて簡単に行うことのできるアルバム用台紙を提供することにある。
【０００６】
【課題を解決するための手段】
前記目的を達成するため、本発明は、台紙本体の少なくとも一方の面にフィルムを配置するとともに、当該フィルムの所定箇所を台紙本体側に接着若しくは溶着して一端側から写真を挿入可能なポケットを台紙本体の面に設けてなるアルバム用台紙において、
前記ポケットを形成するフィルムに、当該ポケットの底部と略平行に延びるミシン目が形成され、ポケットに収容されている写真を取り出す際に、ミシン目より底部の反対側のフィルム領域を剥離することで写真の表面を露出可能に設けられる、という構成を採っている。このような構成によれば、アルバム用台紙を交換若しくは廃棄すべくポケットから写真を取り出す際に、フィルムを台紙本体から捲るように剥離して写真を直接表出させてしまえばよいことになる。この剥離を行う際には、フィルムは破断促進部位置にて切断されるため、底部側接着部の接着力によって剥離が阻害されることはなく、写真を取り出すに足りる面積の剥離を容易に行うことができる。また、その後に、底部側に残っているフィルムを剥離すれば、台紙本体を紙として再生する際にフィルムが混入することもなく、分別廃棄の徹底化を図ることも可能となる。また、意図的に外力を加えない限り、フィルムが破れてしまうことがなく、ポケットの形状を安定的に保つことができる。
【０００８】
【発明の実施の形態】
本発明において、前記ポケットを形成する接着部若しくは溶着部を離間させて非固定部が設けられ、前記フィルム破断促進部は、前記非固定部の領域内に設けられる、という構成を採るとよい。
【０００９】
なお、本明細書における位置的用語、すなわち、「上」、「下」、「左」、「右」は、図２を基準として用いるものとする。また、「台紙本体の表裏」とは、一枚の台紙本体の表裏各面を意味する他、一枚の台紙本体を二枚厚に折り曲げて重ねた場合の表出面となる表裏各面をも含む。更に、「台紙本体」は紙製の他、樹脂製のものも含む。
【００１０】
【実施例】
以下、本発明の実施例を図面を参照しながら説明する。
【００１１】
図１には本実施例に係るアルバム用台紙を表面側から見た概略斜視図が示され、図２には、その正面図が示されている。なお、図１では、発明の内容理解を容易とするため一定の肉厚が示されているが、実際のアルバム用台紙は、全体として略同一平面内に表れる程度のものである。
【００１２】
図１及び図２において、アルバム用台紙１０は、縦方向に長い平面視略長方形状の台紙本体１１と、この台紙本体１１の幅方向（左右方向）両側を除く表裏各面に縦長のフィルムＦを配置して所定箇所を台紙本体１１との接着部１２とすることで台紙本体１１の領域内に形成された上下三段のポケットＰＫ１,ＰＫ２,ＰＫ３と、これらポケットＰＫ１〜ＰＫ３を貫通して上下方向に跨ぐように設けられた大ポケットＰＫ４とを備えて構成されている。ポケットＰＫ１〜ＰＫ３は、標準サイズの写真Ｐ１を収容可能な大きさに設けられている一方、ポケットＰＫ４は、パノラマサイズの写真Ｐ２を収容可能な大きさに設けられている。
【００１３】
前記台紙本体１１は硬質な紙によって形成されており、当該台紙本体１１の幅方向一端側には、図示しないアルバム本体の綴じ具に綴じ込み可能な綴じ穴１５が形成されている。また、台紙本体１１の綴じ穴１５とは反対側領域には、各ポケットＰＫ１〜ＰＫ３又は大ポケットＰＫ４に収容された写真Ｐ１,Ｐ２の内容等を必要に応じて記入することのできる罫線枠からなるメモ欄１６が印刷されている。
【００１４】
前記ポケットＰＫ１〜ＰＫ３は、綴じ穴１５側の縁が出し入れ口１８とされる一方、アルバム用台紙１０の自由端側が底部１９とされている。また、パノラマサイズの写真Ｐ２用の大ポケットＰＫ４は、図中上端を出し入れ口２０として構成されている。
【００１５】
前記ポケットＰＫ１〜ＰＫ３を形成するフィルムＦにおいて、底部１９側には、当該底部１９と略平行に上下方向に延びるフィルム破断促進部としてのミシン目２２が形成されている。このミシン目２２は、アルバム用台紙１０を新たなものに交換すべく、収容されている各写真Ｐ１又はＰ２を取り出す際に、図２中ミシン目２２より左側のフィルムＦ領域を剥離して写真Ｐ１、Ｐ２の表面を露出させてしまうためのものである。
【００１６】
前記接着部１２のうち、底部１９側の接着部１２は上下方向に長い接着代となる帯状に設けられているとともに、アルバム用台紙１０の下端部の接着部１２も左右方向に長い接着代となるように設けられている。この一方、ポケットＰＫ１〜ＰＫ３の出し入れ口１８側の各上部に設けられた三つの接着部１２は、小さな接着代とされ、これにより、底部１９側の接着部１２との間に隙間を形成してパノラマサイズの写真Ｐ２が各ポケットＰＫ１〜ＫＰＫ３の領域を跨って収容できるようになっている。本実施例では、前記隙間すなわち非固定部にミシン目２２が設けられている。
【００１７】
以上の構成において、アルバム用台紙１０の各ポケットＰＫ１〜ＰＫ３又は大ポケットＰＫ４に写真Ｐ１又はＰ２を収容した状態でアルバム用台紙１０を交換する場合には、前記ミシン目２２位置より左側のフィルムＦ領域を捲るようにして剥離すればよい。これにより、写真Ｐ１又はＰ２が殆ど表出することとなり、この状態で、各写真Ｐ１又はＰ２を取り出し、新たなアルバム用台紙１０に収容すればよい。このフィルムＦの剥離に際しては、ミシン目２２位置で切断されてしまうため、底部１９側の接着力による抵抗を受けることはなく、従って、容易なる剥離が可能となる。
【００１８】
なお、廃棄対象となるアルバム用台紙１０は、その後に、ミシン目２２より右側のフィルムＦ領域を捲るように剥離することで、フィルムＦが残らない状態で台紙本体１１を再生処理に付すことが可能となる。この際、底部１９に沿って残っているフィルムＦの一部を摘んで捲るようにして行う剥離は、接着部１２に非常に近い位置となるため、難なく行うことができる。
【００１９】
なお、前記実施例では、フィルムＦの一部を台紙本体１１に接着することによりポケットＰＫ１〜ＰＫ３及び大ポケットＰＫ４を形成した場合を図示、説明したが、本発明はこれに限定されるものではなく、台紙本体１１を部分的に打ち抜いて、当該打ち抜き領域で表裏のフィルムＦを溶着する構成としてもよい。また、ポケットの形成数、大きさも必要に応じて任意に変更することができる。
【００２０】
また、図３に示されるように、前記実施例における台紙本体１１の平面積の二倍サイズとなる台紙本体１１０を設けるとともに、この台紙本体１１０の左右各領域にフィルムＦを配置し、台紙本体１１０の左右方向中心位置Ｃにて当該台紙本体１１０を二枚厚に折り曲げる構成としても前記実施例と同様の効果を得ることができる。
【００２１】
【発明の効果】
以上説明したように、本発明によれば、ポケットの底部側に、当該ポケットの底部と略平行に延びるフィルム破断促進部を形成したから、アルバム用台紙を廃棄すべくポケットから写真を取り出す際に、フィルムを台紙本体から捲るように剥離して写真を直接表出させることで足りる。また、剥離を行う際には、フィルムは破断促進部位置にて切れるため、底部側接着部の接着力によって剥離が阻害されることもなく、写真を取り出すに足りる十分な面積の剥離が可能となる。
【００２２】
また、フィルム破断促進部をミシン目により構成した場合には、意図的に外力を加えない限り、フィルムが破れてしまうことがなく、ポケットの形状を安定的に保つことができる。
【図面の簡単な説明】
【図１】実施例に係るアルバム用台紙の表面側を示す概略斜視図。
【図２】前記アルバム用台紙の表面側を示す正面図。
【図３】台紙本体を二枚厚に折り曲げるタイプとした場合の正面図。
【図４】従来のアルバム用台紙の表面側を示す正面図。
【符号の説明】
１０  アルバム用台紙
１１  台紙本体
１２  接着部
１８  出し入れ口
１９  底部
２５  ミシン目（フィルム破断促進部）
１１０  台紙本体
Ｆ  フィルム
Ｐ１  写真
Ｐ２  写真
ＰＫ１  ポケット
ＰＫ２  ポケット
ＰＫ３  ポケット
ＰＫ４  ポケット
【図１】
0003752555.tif 000002
【図２】
0003752555.tif 000003
【図３】
0003752555.tif 000004
【図４】
0003752555.tif 000005